(57)【特許請求の範囲】
【請求項１】
矩形状の外枠(1) と、該外枠(1) に縦軸廻りに揺動開閉可能に取り付けられる前枠(3) と、上記外枠(1) の下部に取り付けられ、その上面(2a)が上記前枠(3) を閉じた状態で上記前枠(3) の下面(3a)と対向する下枠材(2) と、上記前枠(3) の下部に取り付けられ、上記前枠(3) に取り付けられた遊技盤(6) に向けて遊技球を発射する発射装置(13)(13')(13")とを備えた弾球遊技機において、
上記前枠(3) を閉じる際に該前枠(3) の下面(3a)を上記下枠材(2) の上面(2a)に乗り上げさせる乗り上げ手段(60)(61)を備え、この乗り上げ手段(60)(61)は、上記前枠(3) の裏面側に沿って装着される支持片部(40)と、この支持片部(40)の下縁部から上記前枠(3) の背面側に向けて突出する断面くの字状に形成された乗り上げ片部(41)と、この乗り上げ片部(41)から上記前枠(3) の下面(3a)に沿って前面側に向けて延設された下片部(42)と、該下片部(42)側の一部分が上記乗り上げ片部(41)と上記下片部(42)との境界線に沿って上記前枠(3) の裏面側に沿うように上向きに曲げ起こされて形成された位置決め片部(44)とを備えていることを特徴とする弾球遊技機。
【請求項２】
上記下枠材(2) の上面(2a)に、上記乗り上げ手段(60)(61)に摺接可能に形成され、上記前枠(3) を上方へ誘導する誘導手段(50)を設けたことを特徴とする請求項１に記載の弾球遊技機。
【請求項３】
上記乗り上げ手段(60)(61)と上記誘導手段(50)との少なくとも一方に、上記前枠(3) を閉じる際に上記前枠(3) を斜め上向きに案内する案内部を屈曲状に一体形成したことを特徴とする請求項２に記載の弾球遊技機。
【請求項４】
上記発射装置(13)(13')(13")は、遊技球を上記遊技盤(6) に向けて打撃する打撃槌(31)と、上記打撃槌(31)を駆動する駆動手段(34)と、上記前枠(3) から前方に突出して設けられ、上記打撃槌(31)の打撃力の調整操作が可能な操作手段(35)と、上記打撃槌(31)、駆動手段(34)、及び操作手段(35)を上記前枠(3) に固定するための取付板(39)(39')(39")とを備え、
上記乗り上げ手段(60)(61)を上記取付板(39)(39')(39")に設けたことを特徴とする請求項１〜３のいずれかに記載の弾球遊技機。
【請求項５】
上記乗り上げ手段(60)を上記取付板(39)(39") に一体に形成したことを特徴とする請求項４に記載の弾球遊技機。
【請求項６】
上記誘導手段(50)が、上記下枠材(2) の上面(2a)に沿う上片部(51)と、上記上片部(51)から延設され、上記乗り上げ手段(60)(61)が乗り上げ可能な傾斜面を形成する誘導片部(52)とを備えたことを特徴とする請求項１〜５のいずれかに記載の弾球遊技機。
【発明の詳細な説明】
【０００１】
【発明の属する技術分野】
本発明は、矩形状の外枠の前面側に、遊技盤等が設置された前枠が、縦軸廻りに揺動開閉可能に取り付けられているパチンコ機などの弾球遊技機に関するものである。
【０００２】
【従来の技術】
パチンコ機やアレンジボール機などの弾球遊技機では、矩形状の外枠の前面側に、縦軸廻りに揺動開閉可能な状態で前枠が取り付けられ、更に外枠の前面側下部に、前枠を閉じたときにその前枠の下方に隣接するように下枠材が固定されているものが一般的である。
【０００３】
前枠には、その裏面側に、各種入賞手段や表示手段等が取り付けられた遊技盤、その遊技盤を前枠に対して着脱自在に固定する裏機構板の他、各種制御基板、スイッチ類などが取り付けられており、更に前面側には、遊技盤の前側を覆うガラス扉、遊技球を貯留する上皿が装着された前面板、余剰球を貯留する下皿、遊技球を遊技盤に向けて発射する発射装置等が取り付けられている。
【０００４】
以上のような構成を有する弾球遊技機では、前枠を閉じることによって、前枠の下面と外枠の上面とが互いに対向するに至り、前枠と下枠材とによって外枠の前面側が完全に塞がれた状態となる。
【０００５】
【発明が解決しようとする課題】
ところで、上述したように、前枠には様々な部品が数多く取り付けられているため、その重量は極めて大きい。従って、前枠を開閉する際には、前枠を開閉自在に支持しているヒンジ部に過大な荷重が作用することとなる。その結果、日常的な前枠の開閉を長期間にわたって繰り返すうちに、ヒンジ部の取り付けガタ等が次第に大きくなり、前枠の開閉端側がヒンジ端側よりも相対的に垂れ下がった状態となる場合が多い。このような状態では、下枠材の上面と前枠の下面とが干渉し、前枠のスムーズな開閉が行えないばかりでなく、開閉時に発生する衝撃によって、例えば前枠に取り付けられている各部品に悪影響を与える虞もあった。
【０００６】
本発明は上記事情に鑑みてなされたものであり、その目的とするところは、前枠の開閉を常にスムーズに行うことが可能な弾球遊技機を提供することである。
【０００７】
【課題を解決するための手段】
上記目的を達成するために、本発明は、矩形状の外枠1 と、該外枠1 に縦軸廻りに揺動開閉可能に取り付けられる前枠3 と、上記外枠1 の下部に取り付けられ、その上面2aが上記前枠3 を閉じた状態で上記前枠3 の下面3aと対向する下枠材2 と、上記前枠3 の下部に取り付けられ、上記前枠3 に取り付けられた遊技盤6 に向けて遊技球を発射する発射装置13,13',13"とを備えた弾球遊技機において、上記前枠3 を閉じる際に該前枠3 の下面3aを上記下枠材2 の上面2aに乗り上げさせる乗り上げ手段60,61 を備え、この乗り上げ手段60,61 は、上記前枠3 の裏面側に沿って装着される支持片部40と、この支持片部40の下縁部から上記前枠3 の背面側に向けて突出する断面くの字状に形成された乗り上げ片部41と、この乗り上げ片部41から上記前枠3 の下面3aに沿って前面側に向けて延設された下片部42と、該下片部42側の一部分が上記乗り上げ片部41と上記下片部42との境界線に沿って上記前枠3 の裏面側に沿うように上向きに曲げ起こされて形成された位置決め片部44とを備えている。
【０００８】
【発明の実施の形態】
以下、図面を参照しつつ、本発明に係る弾球遊技機をパチンコ機として具現化した実施の形態について説明する。図１〜図８は本発明の第１の実施形態を例示し、図１及び図２において、１は矩形状の外枠で、その下端部分の前側には下枠材２が固定されている。更に、外枠１の前側で下枠材２の上方に隣接する位置には、前枠３が、左右方向の一端側、例えば向かって左側の端部に設けられた上下一対のヒンジ部４，４によって、縦軸廻りに揺動開閉自在に取り付けられている。
【０００９】
前枠３の前側には窓孔５が取り付けられ、この窓枠５に対応して遊技盤６が裏側から着脱自在に装着され、更にこの遊技盤６の前面側にガラス扉７と前面板８とが開閉自在に装着されている。遊技盤６には、ガイドレール９がほぼ環状に装着されると共に、そのガイドレール９の内側の遊技領域１０には、図示しない液晶表示手段、可変式入賞手段、大入賞手段、普通入賞手段、通過ゲート等の各種遊技部品が配置されている。また、前面板８には、発射用の遊技球を貯留する上皿１１が装着されており、前枠３の下部には、余剰球を貯留する下皿１２と発射装置１３とが各々設けられている。
【００１０】
また、前枠３の裏側には、遊技盤６を裏側から押さえて固定する裏機構板１４が開閉自在に装着されている。この裏機構板１４の略中央部分には開口部１４ａが形成され、その上側には賞球タンク１５とこれに接続されたタンクレール１６とが、左右方向の片側にはタンクレール１６に接続された払出し装置１７が、下側には払出し装置１７に接続された払出し球誘導路１８がそれぞれ設けられている。賞球タンク１５からタンクレール１６を経由して払出し装置１７から払い出された遊技球は、払出し球誘導路１８を経由して上皿１１に排出される。
【００１１】
裏機構板１４の開口部１４ａには、遊技盤６の裏側を覆う裏カバー１９が嵌合されている。この裏カバー１９には、基板ケース２０，２１，２２が着脱自在に装着されている。基板ケース２０内には、遊技盤６の遊技制御を主として司る主制御基板が，基板ケース２１内には、遊技盤６等に設けられた多数のランプの点灯制御を行うランプ制御基板が、基板ケース２２内には、スピーカから出力する各種効果音等のためのサウンド制御を行うサウンド制御基板がそれぞれ収納されている。また、基板ケース２０の前側の裏カバー１９内には、図柄制御基板が収納されている。この図柄制御基板は、液晶表示手段に種々の動画や背景画を表示させる表示制御を実行したり、或いは液晶表示手段に設けられた複数の図柄表示部の図柄の変動を制御し、指示された停止図柄で変動を停止させる等の制御を行う。更に、基板ケース２１，２２の下方の裏機構板１４上には、各基板等に電源の供給等を行う電源基板と、払出し装置１７による遊技球の払出しを制御する払出し制御基板とが収納された基板ケース２３が着脱自在に装着されている。
【００１２】
また、発射装置１３は、前枠３の向かって右側の下端部近傍に取り付けられており、図３及び図４に示すように、発射レール２４（図４参照）上に１個ずつ供給される遊技球を打撃する揺動自在の打撃槌３１と、打撃槌３１に打撃力を与える発射バネ３２と、カム３３を介して打撃槌３１を間欠的に駆動する駆動モータ３４（駆動手段）と、駆動モータ３４による打撃槌３１の駆動のオン／オフや、発射バネ３２のバネ力の調整を行う発射ハンドル３５（操作手段）と、発射ハンドル３５が取り付けられる取り付けボス部３６と、当該発射装置１３の制御を司る発射制御基板３７が格納された基板ケース３８と、打撃槌３１、駆動モータ３４、発射ハンドル３５等を前枠３に固定する取付板３９とを備えている。発射バネ３２は、例えば一端側が打撃槌３１の回転軸に、他端側がワイヤ３２ａを介して取り付けボス部３６内で発射ハンドル３５にそれぞれ接続されている。
【００１３】
遊技者が発射ハンドル３５に触れると、発射ハンドル３５に組み込まれているタッチセンサによってこれが検出され、発射制御基板３７の制御により、駆動モータ３４による打撃槌３１の駆動が開始される。更に、遊技者が発射ハンドル３５を回転させると、その回転量に応じて、ワイヤ３２ａを介して発射バネ３２の他端側が所定方向（発射バネ３２のバネ力が大きくなる方向）に回転され、打撃槌３１による打撃力が増加する。これにより、遊技球が間欠的に遊技盤６に向けて任意の強さで発射される。
【００１４】
本実施形態では、図４に示すように、打撃槌３１、発射バネ３２、駆動モータ３４、発射ハンドル３５、基板ケース３８など、取付板３９以外の各部品は全て取付板３９を介して、前枠３の裏側下部で且つヒンジ部４と反対側の開閉端部近傍に着脱自在に固定されるようになっている。ここで、発射バネ３２、取り付けボス部３６等は取付板３９の前面（前枠３への取り付け面）側に取り付けられており、当該発射装置１３を前枠３に取り付けた際には、これら取付板３９の前面側に取り付けられた部品は、前枠３に形成された図示しない貫通孔内に格納される。また、発射ハンドル３５は、その他の部品を装着した取付板３９が前枠３に取り付けられた後、前枠３の前面側から上述した貫通孔を介して取り付けボス部３６に取り付けられる。
【００１５】
尚、本実施形態の発射装置１３は、揺動自在の打撃槌３１を駆動モータ３４によって駆動するものとしたが、発射装置１３の構成はこれに限られるものではない。例えば、軸方向に往復移動自在の打撃槌を設け、この打撃槌をソレノイド等で軸方向に駆動することによって遊技球を発射するように構成した発射装置を用いることも可能である。
【００１６】
また、図３及び図５に示すように、取付板３９の下部には乗り上げ手段６０が形成されている。乗り上げ手段６０は、木ねじ等により前枠３の裏面側に固定される略平板状の支持片部４０と、支持片部４０の下縁部から前枠３の背面側に向けて断面「く」の字状に延設された乗り上げ片部４１と、乗り上げ片部４１から前枠３の下面３ａに沿って前面側に向けて延設された下片部４２と、下片部４２から前枠３の下面３ａの前縁部において上向きに延設された掛止め片部４３と、下片部４２の一部分が上向きに曲げ起こされた位置決め片部４４とを備えている。
【００１７】
支持片部４０は、取付板３９の本体部分（駆動モータ３４や打撃槌３１等が取り付けられている平板部分）と一体形成されており、取付板３９（当該乗り上げ手段６０を含む）を前枠３に固定するための木ねじを挿通させる挿通孔４０ａ等が形成されている。また、乗り上げ片部４１は、前枠３の背面側に向けて突出する「く」の字状の断面形状を構成する、上斜面片４１ａと下斜面片４１ｂ（案内部の一例）とにより形成されており、下斜面片４１ｂの下面４１ｂａは、前枠３の下面３ａに対して上向きに緩やかな斜面（例えば３０度程度）を形成している（図８参照）。尚、乗り上げ片部４１は、必ずしも断面「く」の字状でなくてもよい。下斜面片４１ｂの下面４１ｂａが、前枠３の下面３ａに対して上向きに緩やかな屈曲面（例えば斜面）を形成していれば、例えば上斜面片４１ａの断面形状はどのようなものでもよい。
【００１８】
また、位置決め片部４４は、支持片部４０と同一の平面を形成するように（図８参照）、下片部４２の一部分を、乗り上げ片部４１との境界線の近傍で上向きに曲げ起こすことによって形成されている。尚、取付板３９、及び乗り上げ手段６０を構成している支持片部４０、乗り上げ片部４１、下片部４２、掛止め片部４３、位置決め片部４４は、例えば１枚の金属板を板金処理することにより一体成形されている。
【００１９】
以上のような前枠３側の構成に対して、下枠材２の上面２ａには、図２に示すように、前枠３を閉じたときに乗り上げ手段６０に対応する位置に誘導部材５０が着脱自在に取り付けられている。この誘導部材５０が誘導手段の一例である。誘導部材５０は、図６に示すように、下枠材２の上面２ａに沿う平板状の上片部５１と、上片部５１から下枠材２の上面２ａの前縁部において斜め下向きに延設された誘導片部５２（案内部の一例）とを備えており、例えば１枚の金属板を板金処理することにより一体成形されている。上片部５１には、当該誘導部材５０を下枠材２の上面２ａに固定するための木ねじを挿通させる挿通孔５１ａが穿設されている。また、誘導片部５２の上面５２ａは、下枠材２の上面２ａに対する角度が例えば６０度程度の斜面を形成している（図６参照）。尚、誘導部材５０は、その横幅（下枠材２の長手方向に沿った長さ）が、例えば発射装置１３の取付板３９の横幅と同程度か、或いは若干長めとなるように形成されている。
【００２０】
続いて、上述した乗り上げ手段６０を有する発射装置１３及び誘導部材５０を、前枠３及び下枠材２へそれぞれ取り付ける際の手順を簡単に説明する。まず、発射装置１３を前枠３に取り付ける際には、まず発射ハンドル３５を除く他の構成部品を取付板３９に取り付けた状態で、この取付板３９を前枠３の下部の所定位置に取り付ける。例えば、前枠３のヒンジ部４と反対側の開閉端側下端部の所定の取り付け位置において、掛止め片部４３を前枠３の裏面側から前面側下縁部に引っ掛ける（図７に実線で示す）。そして、図７に矢印Ｙで示すように、支持片部４０が前枠３の裏面側に当接するまで取付板３９を回動させる。
【００２１】
これにより、取付板３９は、図７に二点鎖線で示すように、乗り上げ手段６０を構成する掛止め片部４３、下片部４２、位置決め片部４４、及び支持片部４０がそれぞれ前枠３の対応する面に当接した状態となる。このとき、下斜面片４１ｂは前枠３の裏面側に位置し、後方斜め上向きの斜面を形成する。尚、取付板３９の前面（前枠３への取り付け面）側に取り付けられている発射バネ３２や取り付けボス部３６（図４参照）は、前枠３に形成されている図示しない貫通孔内に格納される。この状態で、支持片部４０の挿通孔４０ａに木ねじを挿通して前枠３の裏面にねじ込めば、取付板３９は前枠３に固定される。更に、発射ハンドル３５を前枠３の前面側から上記貫通孔を介して取り付けボス部３６に取り付ける。これで乗り上げ手段６０を有する発射装置１３の前枠３への取り付けは完了する。
【００２２】
また、誘導部材５０を下枠材２に取り付ける際には、誘導片部５２が下枠材２の前面側斜め下向きとなるように、下枠材２の上面２ａ上の所定位置（前枠３を閉じたときの取付板３９の位置に対応する位置）に誘導部材５０の上片部５１を当接させる。このとき、上片部５１と誘導片部５２との間の曲折部を、下枠材２の前縁に合わせるようにして位置決めを行えばよい。この状態で、上片部５１の挿通孔５１ａに木ねじを挿通して下枠材２の上面２ａにねじ込めば、誘導部材５０は下枠材２の上面に固定される。これで、誘導部材５０の下枠材２への取り付けは完了する。
【００２３】
続いて、乗り上げ手段６０と誘導部材５０とが取り付けられた状態での、前枠３の開閉時の動作状態について説明する。図２に示すような開放状態から前枠３を閉じる際には、前枠３はヒンジ部４，４を中心として揺動し、最終的に下枠材２の上側に隣接する位置に到達する。このとき、前枠３の下面３ａと下枠材２の上面２ａとは対向した状態となる。
【００２４】
ここで、上述したように前枠３には各種部品が多数取り付けられているため、その重量は極めて大きい。従って、前枠３を開閉する際にはヒンジ部４に過大な荷重が作用することとなる。その結果、日常的な前枠の開閉を長期間にわたって繰り返すうちにヒンジ部４の取り付けガタ等が次第に大きくなり、前枠３の開閉端側がヒンジ端側よりも相対的に垂れ下がった状態となることが多い。
【００２５】
このような状態で前枠３を閉じる際には、図８に示すように、前枠３が完全に閉状態となる直前に、乗り上げ手段６０の乗り上げ片部４１の下斜面片４１ｂが、誘導部材５０の誘導片部５２に当接する。その状態から更に前枠３を閉じていくと、下斜面片４１ｂの下面４１ｂａが誘導片部５２上を摺動し、乗り上げ手段６０及び前枠３は、下斜面片４１ｂの下面４１ｂａの斜面方向に徐々に持ち上げられる。そして、乗り上げ手段６０が誘導部材５０に完全に乗り上げた後は、乗り上げ手段６０の下片部４２が誘導部材５０の上片部５１上を摺動し、それに伴って前枠３は閉位置まで移動する。
【００２６】
このように、前枠３を閉じる際に、乗り上げ手段６０の下斜面片４１ｂが誘導部材５０上に徐々に乗り上げるため、前枠３の開閉端側がヒンジ端側よりも相対的に垂れ下がった状態となっている場合でも、前枠３の下面３ａと下枠材２の上面との干渉による衝撃が極めて小さくなり、前枠３の閉動作を常にスムーズに行うことが可能となる。
【００２７】
一方、閉状態にある前枠３を開く場合には、上述した閉動作の場合とは全く逆の動きとなる。即ち、閉状態から前枠３を開いていくと、乗り上げ手段６０の下片部４２が誘導部材５０の上片部５１上を摺動した後、下斜面片４１ｂの下面４１ｂａが誘導片部５２上を摺動しつつ、取付板３９及び前枠３は下斜面片４１ｂの下面４１ｂａの斜面方向に徐々に降下する。
【００２８】
これにより、前枠３の開閉端側がヒンジ端側よりも相対的に垂れ下がった状態となっている場合であっても、前枠３の開動作時には、乗り上げ手段６０の下斜面片４１ｂが誘導部材５０上を摺動しつつ徐々に降下するため、前枠３の開閉端側が下枠材２から瞬間的に落下することを防止でき、前枠３の開動作を常にスムーズに行うことが可能となる。
【００２９】
また以上のように、前枠３の開閉を大きな衝撃を伴うことなく常にスムーズに行うことができることにより、前枠３に取り付けられている各部品が前枠３の開閉時の衝撃によって破損するなどの不具合も解消される。
【００３０】
また、乗り上げ手段６０は、前枠３上のヒンジ部４とは反対側の開閉端部近傍に取り付けられる発射装置１３上に設けられており、ヒンジ部４と乗り上げ手段６０のそれぞれの取り付け位置の間には十分に距離があるため、前枠３の開閉時に、乗り上げ手段６０やこれと摺動する誘導部材５０に作用する力が最小限に抑えられ、これら乗り上げ手段６０や誘導部材５０を長寿命化できる等の利点もある。但し、ヒンジ部４を、必ず前枠３における発射装置１３の取り付け位置と反対側の端部に設けなければならないということではなく、ヒンジ部４と発射装置１３とを共に前枠３の片側端部近傍に設けてもよい。
【００３１】
また、乗り上げ手段６０を発射装置１３の取付板３９と一体成形しているため、乗り上げ手段を発射装置１３とは別個に設ける場合と比べて部品点数を少なくできると共に、組立工程も簡素化できる。
【００３２】
図９は、本発明の第２の実施形態を例示し、乗り上げ手段６１（支持片部４０、乗り上げ片部４１、下片部４２、掛止め片部４３、及び位置決め片部４４）を、取付板３９′とは別部材として形成し、取付板３９′にネジ止めや溶接等によって固定した例を示している。このように、乗り上げ手段６１と取付板３９′とを別部材とすることにより、例えば乗り上げ手段６１を取り付ける機種と取り付けない機種とで取付板３９′を共通化できる等の利点がある。
【００３３】
図１０及び図１１は、本発明の第３の実施形態を例示し、発射装置１３″の取付板３９″に例えば一体形成された車輪支持部５３と、該車輪支持部５３に対して横軸５４ａ廻りに回動自在の車輪５４とで乗り上げ手段６２を構成した例を示している。尚、車輪支持部５３は、取付板３９″とは別部材として形成し、取付板３９″にネジ止めや溶接等で固定するようにしてもよい。また、車輪５４は、図１１に示すように、例えばその最下部（底面）の位置が、前枠３の下面３ａと略同一の高さか若しくは若干低くなるように取り付けられている。
【００３４】
この乗り上げ手段６２を取り付けた状態で前枠３を閉じる際には、図１１に示すように、前枠３が完全に閉状態となる直前に、車輪５４が誘導部材５０の誘導片部５２に当接する。その状態から更に前枠３を閉じていくと、車輪５４が誘導片部５２の斜面に乗り上げるように転動し、乗り上げ手段６２及び前枠３は斜め上方に向けて徐々に持ち上げられる。そして、乗り上げ手段６２が誘導部材５０上に完全に乗り上げた後は、車輪５４が誘導部材５０の上片部５１上を水平に転動し、やがて誘導部材５０の上片部５１の後端側において車輪５４は誘導部材５０から外れる。その後は、前枠３の下面３ａが誘導部材５０の上片部５１上を水平に摺動しつつ閉位置まで移動する。また、閉状態にある前枠３を開く場合には、以上の閉動作の場合と全く逆の動きとなる。
【００３５】
このように、車輪５４を有する乗り上げ手段６２を用いても、上述した第１，第２の実施形態の場合と同様、前枠３の開閉端側がヒンジ端側よりも相対的に垂れ下がった状態となっている場合であっても、前枠３の開閉動作を大きな衝撃を伴うことなく常にスムーズに行うことが可能であり、前枠３に取り付けられている各部品が前枠３の開閉時の衝撃によって破損するなどの不具合も解消できる。
【００３６】
以上、本発明の実施形態について詳述したが、本発明はこの実施形態に限定されるものではなく、本発明の趣旨を逸脱しない範囲で種々の変更が可能である。例えば、取付板３９をアルミ系合金等の材料で鋳造する場合には、乗り上げ手段６０をこの取付板３９と一体的に鋳造することも可能である。また、乗り上げ手段６０を例えば鉄などの別材料で板金により成形し、これを取付板３９の鋳造時にモールドにより一体化したり、或いは鋳造した取付板３９にネジ止め等で固定することも可能である。
【００３７】
また、第１及び第２の実施形態では、取付板３９の下縁部全体にわたって乗り上げ手段６０，６１を形成した例を示したが、これに限られるものではなく、取付板３９の下縁部の一部分にのみ乗り上げ手段６０，６１を形成してもよい。
【００３８】
また、第１及び第２の実施形態では、乗り上げ手段６０，６１が掛止め片部４３や位置決め片部４４を備えた例を示したが、これらのいずれか若しくは両方を省略することも可能である。また、下片部４２は、必ずしも前枠３の下面３ａに当接させる必要はなく、両者間に若干の距離を設けてもよい。
【００３９】
また、第１及び第２の実施形態では、乗り上げ手段６０，６１と誘導部材５０の両方に屈曲状の案内部（乗り上げ片部４１の下斜面片４１ｂと誘導片部５２）を形成した例を示したが、これら案内部は、乗り上げ手段６０，６１と誘導部材５０のいずれか一方のみに設けてもよい。
【００４０】
その他、本発明は、パチンコ機だけでなくアレンジボール機や雀球遊技機等の弾球遊技機においても同様に実施可能である。
【００４１】
【発明の効果】
以上説明したように，本発明は，矩形状の外枠1 と、該外枠1 に縦軸廻りに揺動開閉可能に取り付けられる前枠3 と、上記外枠1 の下部に取り付けられ、その上面2aが上記前枠3 を閉じた状態で上記前枠3 の下面3aと対向する下枠材2 と、上記前枠3 の下部に取り付けられ、上記前枠3 に取り付けられた遊技盤6 に向けて遊技球を発射する発射装置13,13',13"とを備えた弾球遊技機において、上記前枠3 を閉じる際に該前枠3 の下面3aを上記下枠材2 の上面2aに乗り上げさせる乗り上げ手段60,61 を備え、この乗り上げ手段60,61 は、上記前枠3 の裏面側に沿って装着される支持片部40と、この支持片部40の下縁部から上記前枠3 の背面側に向けて突出する断面くの字状に形成された乗り上げ片部41と、この乗り上げ片部41から上記前枠3 の下面3aに沿って前面側に向けて延設された下片部42と、該下片部42側の一部分が上記乗り上げ片部41と上記下片部42との境界線に沿って上記前枠3 の裏面側に沿うように上向きに曲げ起こされて形成された位置決め片部44とを備えているため、外枠1 に対する前枠3 の開閉を常にスムーズに行うことが可能となる。
【図面の簡単な説明】
【図１】本発明の第１の実施形態を示すパチンコ機の正面図である。
【図２】本発明の第１の実施形態を示すパチンコ機の前枠を開いた状態を示す斜視図である。
【図３】本発明の第１の実施形態を示すパチンコ機の発射装置近傍の拡大斜視図である。
【図４】本発明の第１の実施形態を示す発射装置の構造図である。
【図５】本発明の第１の実施形態を示す発射装置の乗り上げ手段近傍の拡大斜視図である。
【図６】本発明の第１の実施形態を示す誘導部材の拡大斜視図である。
【図７】本発明の第１の実施形態を示す発射装置の前枠への装着方法を示す説明図である。
【図８】本発明の第１の実施形態を示す前枠の開閉時における乗り上げ手段と誘導部材との動作状態を示す説明図である。
【図９】本発明の第２の実施形態を示すパチンコ機の発射装置近傍の拡大斜視図である。
【図１０】本発明の第３の実施形態を示すパチンコ機の発射装置近傍の拡大斜視図である。
【図１１】本発明の第３の実施形態を示す前枠の開閉時における乗り上げ手段と誘導部材との動作状態を示す説明図である。
【符号の説明】
１        外枠
２        下枠材
２ａ      下枠材上面
３        前枠
３ａ      前枠下面
６        遊技盤
１３      発射装置
１３′    発射装置
３１      打撃槌
３４      駆動モータ（駆動手段）
３５      発射ハンドル（操作手段）
３９      取付板
３９′    取付板
４０      支持片部
４１      乗り上げ片部
４１ａ    上斜面片
４１ｂ    下斜面片
４１ｂａ  下斜面片下面
４２      下片部
５０      誘導部材（誘導手段）
５１      上片部
５２      誘導片部
５３      車輪支持部
５４      車輪
６０      乗り上げ手段
６１      乗り上げ手段
６２      乗り上げ手段
【図１】
0003801431.tif 000002
【図２】
0003801431.tif 000003
【図３】
0003801431.tif 000004
【図４】
0003801431.tif 000005
【図５】
0003801431.tif 000006
【図６】
0003801431.tif 000007
【図７】
0003801431.tif 000008
【図８】
0003801431.tif 000009
【図９】
0003801431.tif 000010
【図１０】
0003801431.tif 000011
【図１１】
0003801431.tif 000012